(57)【要約】【課題】正規の紙幣を収納する紙幣収納部の上に正規の紙幣以外のものを収納するマルチ収納部を接続して一体化するとともに、該マルチ収納部の前面扉に挿入口を配設し、前記マルチ収納部が入出金口の真下に位置するように釣銭処理装置に装着されるようにして、構造が簡素で、小型化することができ、現金精査時に回収された紙幣、硬貨、異物等のチェックを容易に短時間で行うことができるようにする。【解決手段】釣銭処理装置に装着され、該釣銭処理装置内から回収された正規の紙幣を収納する紙幣収納部と、正規の紙幣以外のものを収納するマルチ収納部とが一体化されたユニファイド回収庫であって、前記釣銭処理装置は紙幣の入金及び出金を行う入出金口１５を備え、前記マルチ収納部は前記紙幣収納部の上に配設され、前記マルチ収納部が前記出入金口１５の真下に位置するように前記釣銭処理装置に装着される。【選択図】図１
2007156819.tif 000002
【特許請求の範囲】
【請求項１】
（ａ）釣銭処理装置に装着され、該釣銭処理装置内から回収された正規の紙幣を収納する紙幣収納部と、正規の紙幣以外のものを収納するマルチ収納部とが一体化されたユニファイド回収庫であって、
（ｂ）前記釣銭処理装置は紙幣の入金及び出金を行う入出金口を備え、
（ｃ）前記マルチ収納部は前記紙幣収納部の上に配設され、
（ｄ）前記マルチ収納部が前記出入金口の真下に位置するように前記釣銭処理装置に装着されることを特徴とするユニファイド回収庫。
【請求項２】
（ａ）前記紙幣収納部及びマルチ収納部の前面を覆う施錠可能な回収庫扉を有し、
（ｂ）該回収庫扉は、前記マルチ収納部の位置に正規の紙幣以外のものを挿入する挿入口を備える請求項１に記載のユニファイド回収庫。
【請求項３】
前記回収庫扉が前記釣銭処理装置の前面の一部となる位置に装着される請求項２に記載のユニファイド回収庫。
【請求項４】
（ａ）前記マルチ収納部は、前記ユニファイド回収庫が釣銭処理装置に装着されると開く開閉可能なゲートを天井部に備え、
（ｂ）前記入出金口に投入された正規の紙幣以外のものは、前記ゲートを通って落下し、前記マルチ収納部に収納される請求項１に記載のユニファイド回収庫。
【発明の詳細な説明】
【技術分野】
【０００１】
本発明は、ユニファイド回収庫に関するものである。
【背景技術】
【０００２】
従来、スーパーマーケット、コンビニエンスストア、ディスカウントショップ、ガソリンスタンド等の店舗におけるレジ精算場では、現金による販売で必要となる釣銭準備金を管理するために、ＰＯＳ（Ｐｏｉｎｔ  ｏｆ  Ｓａｌｅｓ）レジスタ等のレジスタ機に釣銭処理装置が取り付けられている（例えば、特許文献１参照。）。
【０００３】
図２は従来の釣銭処理装置の構成を示す概略断面図である。
【０００４】
図に示されるように、釣銭処理装置１０１は、顧客から受け取った入金紙幣を入金し、釣銭紙幣を出金するための投入口１０２、入金された紙幣及び出金される紙幣を認識する紙幣認識部としての外形チェック部１０３、前記釣銭処理装置１０１の内部の紙幣を回収するための紙幣収納部１０４、前記投入口１０２に投入された異物を収納するリジェクト収納部１０５、及び、紙幣を搬送する第１搬送ベルト１０６を有する。
【０００５】
そして、上方が開放した前記投入口１０２の底面を投入ベルト１０７の外周上面で形成し、投入された紙幣を前記第１搬送ベルト１０６の方へ搬送する。また、前記投入ベルト１０７の外周上面の途中に投入ローラ１０８を対向して配設し、搬送される紙幣を一枚ずつ分離して前記第１搬送ベルト１０６まで送り出すようになっている。
【０００６】
さらに、該第１搬送ベルト１０６の外周下面には、搬送路ガイド板１１０が接触するように設けられており、前記投入ベルト１０７から一枚ずつ送り出された紙幣を前記搬送路ガイド板１１０の上面に押さえ付け、かつ、右側に片寄せしながら第２搬送ベルト１１１まで搬送する。なお、該第２搬送ベルト１１１までの搬送経路中には、前記外形チェック部１０３と除外機構１１２とが設けられている。
【０００７】
ここで、前記外形チェック部１０３は、例えば、受光発電素子を備え、搬送される紙幣の外形によって遮られた光の量と規定値との比較によって紙幣の外形寸法を推定し、金種を判別するものである。
【０００８】
また、前記除外機構１１２は、前記外形チェック部１０３と第２搬送ベルト１１１との間において前記搬送路ガイド板１１０に穿孔（せんこう）されたリジェクト口１１３と、該リジェクト口１１３を開閉するリジェクトシャッタ１１４と、該リジェクトシャッタ１１４の開閉動作を制御するリジェクトソレノイド１１５とを備える。なお、前記リジェクト口１１３の下部にはリジェクト収納部１０５が配設され、前記リジェクト口１１３から落下した偽紙幣などの異物、オーバーフローした紙幣等をリジェクト収納部１０５に収納するようになっている。
【０００９】
そして、該リジェクト収納部１０５は、ドロワとして引出式に構成されており、リジェクト収納部１０５の前方には紙幣収納部１０４が形成されている。すなわち、このドロワを引き出すと、紙幣が収納された紙幣収納部１０４、及び、紙幣や異物が混在して収納されたリジェクト収納部１０５が開放されるようになっている。これにより、紙幣とともに異物を回収することができる。
【特許文献１】特開平１１−１３４５３２号公報
【発明の開示】
【発明が解決しようとする課題】
【００１０】
しかしながら、前記従来の釣銭処理装置においては、異物等を回収するリジェクト収納部１０５が投入口１０２から離れて配設されているので、構造が複雑になってしまう。また、リジェクト収納部１０５と紙幣収納部１０４とが前後に並んで配設されているので、収納部全体が大型化してしまう。
【００１１】
本発明は、前記従来の問題点を解決して、正規の紙幣を収納する紙幣収納部の上に正規の紙幣以外のものを収納するマルチ収納部を接続して一体化するとともに、該マルチ収納部の前面扉に挿入口を配設し、前記マルチ収納部が入出金口の真下に位置するように釣銭処理装置に装着されるようにして、構造が簡素で、小型化することができ、現金精査時に回収された紙幣、硬貨、異物等のチェックを容易に短時間で行うことができるユニファイド回収庫を提供することを目的とする。
【課題を解決するための手段】
【００１２】
そのために、本発明のユニファイド回収庫においては、釣銭処理装置に装着され、該釣銭処理装置内から回収された正規の紙幣を収納する紙幣収納部と、正規の紙幣以外のものを収納するマルチ収納部とが一体化されたユニファイド回収庫であって、前記釣銭処理装置は紙幣の入金及び出金を行う入出金口を備え、前記マルチ収納部は前記紙幣収納部の上に配設され、前記マルチ収納部が前記出入金口の真下に位置するように前記釣銭処理装置に装着される。
【００１３】
本発明の他のユニファイド回収庫においては、さらに、前記紙幣収納部及びマルチ収納部の前面を覆う施錠可能な回収庫扉を有し、該回収庫扉は、前記マルチ収納部の位置に正規の紙幣以外のものを挿入する挿入口を備える。
【００１４】
本発明の更に他のユニファイド回収庫においては、さらに、前記回収庫扉が前記釣銭処理装置の前面の一部となる位置に装着される。
【００１５】
本発明の更に他のユニファイド回収庫においては、さらに、前記マルチ収納部は、前記ユニファイド回収庫が釣銭処理装置に装着されると開く開閉可能なゲートを天井部に備え、前記入出金口に投入された正規の紙幣以外のものは、前記ゲートを通って落下し、前記マルチ収納部に収納される。
【発明の効果】
【００１６】
本発明によれば、ユニファイド回収庫は、正規の紙幣を収納する紙幣収納部の上に正規の紙幣以外のものを収納するマルチ収納部を接続して一体化するとともに、該マルチ収納部の前面扉に挿入口を配設し、前記マルチ収納部が入出金口の真下に位置するように釣銭処理装置に装着されるようになっている。これにより、構造が簡素で、小型化することができ、現金精査時に回収された紙幣、硬貨、異物等のチェックを容易に短時間で行うことができる。
【発明を実施するための最良の形態】
【００１７】
以下、本発明の実施の形態について図面を参照しながら詳細に説明する。
【００１８】
図３は本発明の実施の形態における釣銭機の斜視図である。
【００１９】
図において、１０は、釣銭処理装置としての紙幣釣銭機１１及び硬貨釣銭機１２を有する釣銭機であり、ＰＯＳレジスタ１３に取り付けられている。該ＰＯＳレジスタ１３は、店舗におけるレジ精算場に配設され、店舗を訪れた顧客が店舗で販売される商品やサービスを購入して代金の精算を行うと、前記店舗におけるレジ係等の代金精算業務を行う係員が操作して、前記代金を商品やサービスの売上額として入力して合計売上額を集計するとともに、前記代金として顧客から受領した現金を収納するための装置である。
【００２０】
また、前記ＰＯＳレジスタ１３は、いわゆるＰＯＳシステムにおけるＰＯＳ端末として機能するものであり、売上額だけでなく、顧客が購入した商品やサービス毎に商品項目等の売上情報も入力される。そして、図示されないホストコンピュータが、ＰＯＳレジスタ１３とＬＡＮ（Ｌｏｃａｌ  Ａｒｅａ  Ｎｅｔｗｏｒｋ）等の通信回線網を介して接続され、前記ＰＯＳレジスタ１３に売上情報や売上額が入力される度に前記売上情報や売上額を収集し、店舗全体としての売上情報や売上額を集計する。なお、前記ＰＯＳレジスタ１３に代えて、ＰＯＳシステムに組み込まれていない、通常のレジスタ機を使用することもできる。
【００２１】
さらに、前記店舗は、例えば、コンビニエンスストア、スーパーマーケット、ディスカウントショップ、百貨店等の商店、レストラン、喫茶店等の飲食店、ガソリンスタンド等であるが、商品やサービスを販売する店舗であれば、いかなる種類の店舗であってもよい。そして、前記店舗の顧客がレジ精算場において精算を行う場合、前記店舗の係員が前記ＰＯＳレジスタ１３に付属する図示されないバーコード読取装置等の入力装置を操作して、顧客が購入した商品等をＰＯＳレジスタ１３に登録すると、図示されない表示装置に顧客が購入した商品やサービスの合計金額が表示される。続いて、前記係員は、表示された合計金額を顧客に伝え、該顧客から現金を受け取る。そして、受け取った現金が正常なものであることを確認した上で、前記現金を顧客から見える箇所に保持させたまま、前記ＰＯＳレジスタ１３に受け取った現金の金額、すなわち、受け取り金額を入力する。これにより、前記ＰＯＳレジスタ１３は、前記合計金額と入力された受け取り金額とから釣銭額を算出する。
【００２２】
ここで、釣銭を要する場合、前記ＰＯＳレジスタ１３から前記釣銭機１０に対して出金指示が出され、前記紙幣釣銭機１１及び硬貨釣銭機１２によって釣銭の出金が行われる。そして、前記係員が出金された釣銭を顧客に手渡した時点で該顧客との精算処理が完了し、前記顧客はレジ精算場から立ち去る。また、前記係員は、前記顧客から受け取った現金としての貨幣を後述される紙幣６０と硬貨とに分別し、前記紙幣釣銭機１１及び硬貨釣銭機１２に、それぞれ、投入して入金する。
【００２３】
そして、該硬貨釣銭機１２は、顧客から受け取った硬貨を投入して入金する硬貨入金口１４、顧客に釣銭として支払う硬貨を払い出す硬貨出金口１８、及び、受け入れ不能と判別されてリジェクトされた硬貨を収納するリジェクト部２０を有する。また、前記紙幣釣銭機１１は、顧客から受け取った紙幣６０を入金したり、顧客に釣銭として支払う紙幣６０を払い出して出金したりする入出金口１５、及び、紙幣釣銭機１１内に収納されている紙幣６０を回収し収納するユニファイド回収庫としての回収庫２６を有する。また、前記釣銭機１０は、係員が操作するための操作表示部１７を有する。該操作表示部１７は、紙幣６０を回収したり、補充したりする際に、係員によって回収指示や補充指示を入力するためのキーを含むキーボード、タッチパネル、スイッチ等から成る入力部、ＣＲＴ、液晶ディスプレイ、ＬＥＤ（Ｌｉｇｈｔ  Ｅｍｉｔｔｉｎｇ  Ｄｉｏｄｅ）ディスプレイ等から成る表示部を備える。また、１９は前記紙幣釣銭機１１から保守モードにおいて紙幣釣銭機１１の機構本体や回収庫２６を引き出したり、前記紙幣釣銭機１１を運用モードにおいて使用可能にしたりするためのスイッチキーである。
【００２４】
次に、前記紙幣釣銭機１１の構成を説明する。
【００２５】
図１は本発明の実施の形態における紙幣釣銭機の構成を示すブロック図、図４は本発明の実施の形態における紙幣釣銭機の主要な構成要素を示す概略図である。
【００２６】
図１に示されるように、紙幣釣銭機１１は、顧客から受け取った紙幣６０を入金する入金口及び釣銭としての紙幣を出金するための出金口として機能する入出金口１５、紙幣６０を認識する認識部としての紙幣認識部２２、千円券等の紙幣６０を収納する金種別収納庫としての第１金種別収納庫２４、五千円券等の紙幣６０を収納する金種別収納庫としての第２金種別収納庫２５、前記紙幣釣銭機１１における内部の紙幣６０を回収するための回収庫２６、並びに、紙幣６０を搬送する紙幣搬送路２３を有している。
【００２７】
そして、前記回収庫２６は、異物の落下集積のために、前記入出金口１５の真下に配設された紙幣収納部としての紙幣回収部２７、及び、該紙幣回収部２７の上に接続して一体化されたマルチ収納部としてのマルチ回収部２８を備える。なお、前記紙幣回収部２７は正規の紙幣６０を収納し、前記マルチ回収部２８は硬貨、異物等のような正規の紙幣６０以外のものを収納する。さらに、前記回収庫２６の上面壁、すなわち、マルチ回収部２８の天井部は、硬貨、異物等の落下集積のために、回収庫２６が紙幣釣銭機１１内にセットされているときには図４に示される開閉可能なゲート５１を開き、回収庫２６が紙幣釣銭機１１外に抜き取られたときには前記ゲート５１を閉じる図示されないゲート開閉機構を備える。
【００２８】
また、前記回収庫２６の前面には、回収されて紙幣回収部２７に収納された正規の紙幣６０、及び、回収されてマルチ回収部２８に収納された正規の紙幣６０以外のものを取り出すための鍵（かぎ）付きの施錠可能な回収庫扉２９が取り付けられている。そして、該回収庫扉２９には、変形硬貨、破損紙幣等のように紙幣釣銭機１１内に取り込むことができない異物を前記マルチ回収部２８へ挿入のみ可能な図示されない機構を備えた挿入口としての現金挿入口３０が配設されている。なお、該現金挿入口３０を有効にするために、前記回収庫扉２９は、回収庫２６が紙幣釣銭機１１に装着されると、該紙幣釣銭機１１の前面の一部となるようになっていることが望ましい。
【００２９】
そして、前記紙幣釣銭機１１のより詳細な構成は、図４に示されるようになっている。この場合、顧客から受け取った紙幣６０が入出金口１５から入金されると、前記紙幣６０は、図示されない搬送ローラ、搬送ベルト等によって紙幣搬送路２３に沿って搬送され、紙幣認識部２２によって認識され、金種に応じて、第１金種別収納庫２４又は第２金種別収納庫２５に収納される。なお、前記第１金種別収納庫２４及び第２金種別収納庫２５は、紙幣６０を上から入れる上入れ収納することができ、かつ、紙幣６０を上から取り出す上出しをすることができるようになっている。
【００３０】
また、回収庫２６の真上に位置する入出金口１５には、ゲート５１、フィードローラ３３及び分離ローラ３４が配設されている。前記ゲート５１は、回収庫２６が紙幣釣銭機１１内にセットされているときには開いているので、入出金口１５に投入された異物は、入出金口１５の底部に配設されたゲート５１を通過して落下し、マルチ回収部２８内に収納される。また、前記フィードローラ３３及び分離ローラ３４は、前記入出金口１５にセットされた紙幣６０を一枚ずつ分離して紙幣搬送路２３に送り込むための分離ゲート部を構成し、互いに圧接して対向するように配設されている。
【００３１】
さらに、前記第１金種別収納庫２４の入口には、フィードローラ３９及び分離ローラ４０が配設されている。前記フィードローラ３９及び分離ローラ４０は前記第１金種別収納庫２４に収納された紙幣６０を一枚ずつ分離して紙幣搬送路２３に送り込むための分離ゲート部を構成し、互いに圧接して対向するように配設されている。同様に、前記第２金種別収納庫２５の入口には、フィードローラ３６及び分離ローラ３７が配設されている。前記フィードローラ３６及び分離ローラ３７は前記第２金種別収納庫２５に収納された紙幣６０を一枚ずつ分離して紙幣搬送路２３に送り込むための分離ゲート部を構成し、互いに圧接して対向するように配設されている。
【００３２】
なお、紙幣６０の集積中は、分離ローラ３４、分離ローラ３７及び分離ローラ４０が回転するので、図４に示されるように、遠心力によって細長いゴム部材が放射状に伸びて、ジャムが発生しないように、集積された紙幣６０の後端部をたたいて沈めるように動作する。
【００３３】
また、４９は、前記入出金口１５から分離搬送され、紙幣認識部２２において金種が判別された紙幣６０を第１金種別収納庫２４とその他とに振り分けるための搬送方向切換機構である。そして、４８は、釣銭として出金される出金紙幣と、紙幣認識部２２において、再循環、すなわち、リサイクルして使用することができない五千円券、千円券、その他の金種の紙幣６０、搬送異常が発生した紙幣６０、認識不能な紙幣６０等の入金リジェクト紙幣とを振り分けるための搬送方向切換機構である。
【００３４】
なお、前記紙幣搬送路２３は、双方向搬送路になっているので、入金時、補充時、出金時及び回収時において、紙幣６０は常に同じ紙幣搬送路２３を双方向に搬送される。これにより、シンプルな搬送系を得ることができる。また、紙幣認識部２２は、入金時、補充時、出金時及び回収時において、双方向に搬送される紙幣６０の金種及び状態（重送、斜行、連鎖等の有無）を検出することができるようになっている。
【００３５】
そして、４０及び４５は分離した紙幣６０のタグ付け及び分離枚数や分離走行状態を検出するためのセンサであり、４２は認識処理用のセンサである。さらに、４１及び４３は、それぞれ、紙幣認識部２２の情報に基づいて搬送方向切換機構４９及び搬送方向切換機構４８を切り換えるためのタイミングトリガセンサである。また、４６は回収紙幣の通過確認センサである。
【００３６】
次に、前記構成の紙幣釣銭機１１の動作について説明する。まず、レジ精算場における入金取引処理の全体的な動作中に異物を収納する動作について説明する。
【００３７】
まず、店舗を訪れた顧客が店舗で販売される商品やサービスを購入して、レジ精算場において代金の精算を行う。この場合、前記店舗の係員がバーコード読取装置等の入力装置を操作して、顧客が購入した商品をＰＯＳレジスタ１３に登録する。すると、該ＰＯＳレジスタ１３の表示装置に顧客が購入した商品の合計金額が表示される。続いて、前記係員は、表示された合計金額を顧客に伝え、該顧客から現金を受け取る。そして、受け取った現金が正常なものであることを確認した上で、前記現金を顧客から見える箇所に保持させたまま、前記ＰＯＳレジスタ１３に受け取った現金の金額、すなわち、受け取り金額を入力する。
【００３８】
これにより、前記ＰＯＳレジスタ１３は、前記合計金額と入力された受け取り金額とから釣銭額を算出する。ここで、釣銭を要する場合、前記ＰＯＳレジスタ１３から釣銭機１０に対して出金指示が出され、該釣銭機１０によって釣銭の出金が行われる。そして、前記係員が出金された釣銭を顧客に手渡した時点で該顧客との精算処理が完了する。そして、前記顧客はレジ精算場から立ち去る。
【００３９】
一方、前記係員は、前記顧客から受け取って顧客が見える箇所に保持させておいた現金を紙幣６０と硬貨とに分別し、前記紙幣６０を紙幣釣銭機１１の入出金口１５に投入し、硬貨を硬貨釣銭機１２の硬貨入金口１４に投入する。
【００４０】
この際、前記係員の不注意や、投入された紙幣６０の束の間に異物が混入していたりすることによって、クリップ、紙片、その他の異物が入出金口１５に投入されてしまうことがある。すると、該入出金口１５に投入された異物は、入出金口１５から紙幣６０を取り込む動作の過程において、前記入出金口１５の底部に配設されたゲート５１へ誘導され、該ゲート５１を通って落下し、前記入出金口１５の真下に位置する回収庫２６のマルチ回収部２８内に収納されて集積される。
【００４１】
次に、取り込み不可紙幣を回収する動作について説明する。
【００４２】
レジ精算場において顧客から受け取る紙幣６０には、破損紙幣等のように正規の紙幣６０でないもの、すなわち、取り込み不可紙幣が不可避的に混在している。また、紙幣釣銭機１１内で搬送異常が発生したために取り除かれた紙幣６０、すなわち、ジャム紙幣等も取り込み不可紙幣として取り扱われる。該取り込み不可紙幣は、紙幣釣銭機１１内に取り込むことができないものであるから、レジ精算場の係員によって、回収庫扉２９に配設した現金挿入口３０から挿入され、マルチ回収部２８に収納されて保管される。なお、顧客から受け取った硬貨に含まれる変形した硬貨等も、取り込み不可紙幣として現金挿入口３０から挿入され、マルチ回収部２８に収納されて保管される。
【００４３】
次に、紙幣６０を回収する動作について説明する。
【００４４】
店舗が閉店した後など紙幣釣銭機１１内の紙幣を回収する場合、店舗の係員の操作によって回収動作が実行される。この場合、図示されない装置制御部から紙幣釣銭機１１に対して回収指示が出されると、第１金種別収納庫２４及び第２金種別収納庫２５から紙幣６０が取り出され、紙幣搬送路２３を通って搬送される。該紙幣搬送路２３は、双方向搬送路になっているので、回収時も入金時等と同様に、紙幣６０は、前記紙幣搬送路２３を通って搬送される。そして、前記紙幣６０は、紙幣搬送路２３に配設された搬送方向切換機構４８を通って、回収庫２６の紙幣回収部２７に収納されて集積される。続いて、紙幣６０の集積が完了すると、入出金口１５の底部に配設されたゲート５１が閉じ、回収庫２６を紙幣釣銭機１１から抜き取ることが可能となる。
【００４５】
次に、回収物を取り出す動作について説明する。
【００４６】
係員が紙幣釣銭機１１から抜き取った回収庫２６は、回収庫扉２９の鍵を解錠する権限を有する現金管理者等の担当者に渡され、該担当者によって前記回収庫扉２９が開けられる。そして、該回収庫扉２９を開けると、マルチ回収部２８及び紙幣回収部２７内に収納された正規の紙幣６０と正規の紙幣６０以外のものとを一度に回収することができる。この場合、前記マルチ回収部２８からは、回収されたクリップ等の異物、硬貨、紙幣釣銭機１１内に取り込むことができなかった変形硬貨、破損紙幣、ジャム紙幣等の正規の紙幣６０以外のものが取り出される。また、前記紙幣回収部２７からは、第１金種別収納庫２４及び第２金種別収納庫２５から回収された正規の紙幣６０が取り出される。
【００４７】
そして、回収庫２６から取り出された紙幣６０は、硬貨釣銭機１２の図示されない硬貨回収庫から取り出された硬貨と合わせて、装置内現金としてＰＯＳレジスタ１３のデータと照合されて精査される。
【００４８】
このように、本実施の形態において、回収庫２６は、正規の紙幣６０を収納する紙幣収納部２７の上に正規の紙幣６０以外のものを収納するマルチ回収部２８を接続して一体化されている。そして、前記回収庫２６は、紙幣釣銭機１１の前面に配設され、かつ、入出金口１５の真下にマルチ回収部２８が位置するようになっている。そのため、紙幣釣銭機１１に投入された正規の紙幣６０と正規の紙幣６０以外のものとを一度に回収することができる。また、回収庫２６の構造が簡素で、回収庫２６を小型化することができる。さらに、変形硬貨、破損紙幣等のように紙幣釣銭機１１内に取り込むことができない取り込み不可紙幣を回収することができる。これにより、紙幣６０を回収する動作の効率を高くすることができる。さらに、紙幣釣銭機１１内の有り高が複数の回収装置に分散してしまうことがないので、紙幣釣銭機１１内の紙幣６０の精査の効率を高くすることができる。
【００４９】
また、本実施の形態においては、コンビニエンスストア、スーパーマーケット等の店舗におけるレジ精算場にて使用されるＰＯＳレジスタ等に接続して紙幣の入出金処理を行う釣銭機の紙幣ユニットに適用される例について説明したが、銀行等の金融機関の窓口で使用される自動現金預払機（窓口端末）等のような銀行員が使用する端末にも適用することができる。
【００５０】
なお、本発明は前記実施の形態に限定されるものではなく、本発明の趣旨に基づいて種々変形させることが可能であり、それらを本発明の範囲から排除するものではない。
【図面の簡単な説明】
【００５１】
【図１】本発明の実施の形態における紙幣釣銭機の構成を示すブロック図である。
【図２】従来の釣銭処理装置の構成を示す概略断面図である。
【図３】本発明の実施の形態における釣銭機の斜視図である。
【図４】本発明の実施の形態における紙幣釣銭機の主要な構成要素を示す概略図である。
【符号の説明】
【００５２】
１１    紙幣釣銭機
１２    硬貨釣銭機
１５    入出金口
２６    回収庫
２７    紙幣回収部
２８    マルチ回収部
２９    回収庫扉
３０    現金挿入口
５１    ゲート
６０    紙幣
【図１】
2007156819.tif 000003
【図２】
2007156819.tif 000004
【図３】
2007156819.tif 000005
【図４】
2007156819.tif 000006